(57)【特許請求の範囲】
【請求項１】
釣糸が巻回されるスプールを回転自在に支持するリール本体の上部に、握持した手の親指が載置可能な指置き部が設置された魚釣用リールにおいて、
前記指置き部は、中央に形成され上方に向けて湾曲状に膨出する隆起部と、この隆起部の頂部から左右両側に向けて湾曲傾斜した傾斜部を経由して窪んだ形状に形成された凹状部とを有することを特徴とする魚釣用リール。
【発明の詳細な説明】
【技術分野】
【０００１】
本発明は、リール本体の側板間に釣糸が巻回されるスプールを回転自在に支持した魚釣用リールに関し、詳細には、リール本体を保持した際に、指が載置される指置き部に特徴を有する魚釣用リールに関する。
【背景技術】
【０００２】
両軸受型リールと称される魚釣用リールのリール本体は、フレームとその両側部に取り付けられる側板を備えた構成となっている。一般的に、このようなリール本体は、手で握持保持したときの保持性の向上を図るための工夫が施されており、例えば、特許文献１や特許文献２で見られるように、コア部品であるフレームの上部に、指置き可能な指置き部（サムレストとも称される）が設置されている。
【０００３】
なお、特許文献１に開示されている指置き部（フレームの支柱に取り付けられた指当て板）は、リール本体の駆動機構が設置されていない側に親指を掛け止めできるように凹陥部を形成した構成となっている。また、特許文献２に開示されている指置き部（フレームに一体形成された支柱）は、上部から見て前方に向けてアーチ状の湾曲形状に形成され、かつこの湾曲形状のスプール側の内側表面を、傾斜させた案内面（傾斜案内面）としている。
【特許文献１】実開昭６０−５５３６８号
【特許文献２】実用新案登録第２５３６０９３号
【発明の開示】
【発明が解決しようとする課題】
【０００４】
しかし、上記した特許文献１に開示されている指置き部は、親指を掛け止める凹陥部を形成しただけであるため、指先だけの掛け止めによる滑り防止が主体となってしまい、リール本体の安定した握持保持が行なえないという問題がある。特に、リール本体を深く握り込んだ際、親指が凹陥部の位置から外れてしまい、安定した保持が行えなくなってしまう。
【０００５】
また、上記した特許文献２に開示されている指置き部によれば、親指を左右両側に亘って載置し易くはなるものの、保持した側の手の親指が傾斜案内面でスプール側下方に滑り易く、支柱に載せた親指の座りが悪いという問題がある。さらに、アーチ状湾曲状部に載置した親指は、左右方向にも滑り易く、安定した保持性に欠けてしまう。そして、このような不具合は、実釣時において、雨やヌメリ等が付着すると更に滑り易くなる傾向になることから、改良すべき問題である。
【０００６】
本発明は、上記した問題に着目して成されたものであり、リール本体を握持保持する際に、親指の座りが良く、滑ることなく安定した状態で載置可能な指置き部を備えた魚釣用リールを提供することを目的とする。
【課題を解決するための手段】
【０００７】
上記した目的を達成するために、本発明に係る魚釣用リールは、釣糸が巻回されるスプールを回転自在に支持するリール本体の上部に、握持した手の親指が載置可能な指置き部が設置されており、前記指置き部は、中央に形成され上方に向けて湾曲状に膨出する隆起部と、この隆起部の頂部から左右両側に向けて湾曲傾斜した傾斜部を経由して窪んだ形状に形成された凹状部とを有することを特徴とする。
【０００８】
上記した構成の魚釣用リールでは、実釣時にリール本体を握持保持した際、その親指の腹部が指置き部に載置される。指置き部は、中央が隆起しており、その両側が次第に傾斜しながら凹状部を形成しているため、親指の腹部は、この傾斜面に沿ってその凹状部の位置に安定した状態で位置されることから座りが良くなり、リール本体を安定して保持することが可能となる。
【０００９】
また、上記した構成において、前記凹状部のスプール側縁部に、平面状部を形成しておくことが好ましい。
【００１０】
このような平面状部が形成されていることで、握持保持した際の親指が、スプール側に滑り落ちるようが無くなり、握持保持性がより向上する。
【００１１】
また、上記した構成において、前記指置き部に、左右方向に沿って延びる切欠段部を形成しておくことが好ましい。
【００１２】
このような切欠段部を形成することにより、握持保持した際の親指がその切欠段部に引っ掛かることから、握持保持した際の親指の滑りが確実に防止される。なお、このような切欠段部は、例えば、指置き部を貫通する孔部によって構成しても良いし、溝状に構成したものであっても良い。
【発明の効果】
【００１５】
本発明によれば、リール本体を握持保持した際に、指置き部に対して、親指の座りが良く、滑ることなく安定した状態で親指を載置することが可能な魚釣用リールが得られる。
【発明を実施するための最良の形態】
【００１６】
以下、本発明に係る魚釣用リールの実施形態について、添付図面を参照して具体的に説明する。  
図１から図５（ａ）は、本発明に係る魚釣用リールの一実施形態を示す図であり、図１は平面図、図２は図１に示す魚釣用リールの背面図、図３は図１のＡ−Ａ線に沿った断面図、図４は図１のＢ−Ｂ線に沿った断面図、そして、図５（ａ）は図１のＣ−Ｃ線に沿った断面図である。
【００１７】
本実施形態の魚釣用リールのリール本体１は、左右フレーム２ａ，２ｂと、各フレームに対し、所定の空間をもって装着される左右側板３ａ，３ｂを備えている。左右フレーム２ａ，２ｂ間には、釣糸が巻回されるスプール５がスプール軸（図示せず）によって回転可能に支持されており、前記スプール５は、一方の側板側（本実施形態では、右側板３ｂ側）に回転可能に支持されたハンドル７を巻取り操作することで、公知の巻取り駆動機構を介して回転駆動されるように構成されている。
【００１８】
前記左右フレーム２ａ，２ｂ間（左右側板３ａ，３ｂ間）には、前記スプール５を回転可能に支持するスプール軸よりも前方側でかつ上方側に、リール本体１を握り込んだ際、親指が載置できるように指置き部（サムレスト）１０が設置されている。この場合、指置き部１０は、図１に示すように、左右フレームを連結すべく、左右フレームと共に一体形成されていても良いし、左右フレームとは別体に形成されて左右フレーム間に設置される構成であっても良い。或いは、左右側板３ａ，３ｂと一体化された構成であっても良い。
【００１９】
また、左右フレーム２ａ，２ｂ間（左右側板３ａ，３ｂ間）には、釣糸をスプール５に対して平行に案内するレベルワイン機構の摺動体２０を上方でカバーするようにカバー体１５が設置されている。このカバー体１５は、図１に示すように、前記指置き部１０と共に一体形成されていても良いし、指置き部１０とは別体として構成されていても良い。なお、本実施形態のカバー体１５は、図５（ａ）に示すように、前方に向けて下り傾斜しているが、平面状に構成されていても良い。また、このようなカバー体１５については、前記摺動体をカバーする機能に加え、リール本体１を深く握持保持した際に、親指が載置される指置き部としての機能も備えていても良い。
【００２０】
前記指置き部１０は、中央に隆起部１０ａを備えており、かつその左右両側には、隆起部１０ａから左右両側に向けて、次第に下り傾斜するように凹状部１０ｂが形成されている。
【００２１】
前記隆起部１０ａは、指置き部１０の中央領域において、上方に向けて膨出させたものであれば良く、指当たりが良いように、湾曲状に膨出していることが好ましい。また、前記凹状部１０ｂは、図２及び図３に示すように、隆起部１０ａの頂部１０ｃから親指の腹部形状に沿うように、湾曲傾斜する傾斜部１０ｄを経由して、窪んだ底部領域によって構成されており、握持保持した際の親指が、安定して座りが良くなるような形状（図３の断面視で湾曲状に窪んだ形状）に形成されている。
【００２２】
すなわち、一般的にリール本体１を握持保持する際、図１に示すように、その親指（本実施形態では、反ハンドル側の左手の親指）は、スプール５の上方を斜め方向に横切るような状態で指置き部１０の側部領域に載置されるが、この領域は、隆起した中央部から下降傾斜しながら凹状部１０ｂとなっているため、載置した際の親指の腹部は、この傾斜部１０ｄに沿ってその凹状部１０ｂの位置に安定した状態で位置されるようになる。この結果、親指の座りが良くなり、滑るようなことも無く、リール本体を安定して保持することが可能となって保持性が格別に向上する。
【００２３】
また、上記した構成において、図４に示すように、前記凹状部１０ｂのスプール側縁部に、スプール側に向けて下り傾斜させることなく、平面状部１０ｅを形成しておくことが好ましい。
【００２４】
このように凹状部１０ｂのスプール側縁部に平面状部１０ｅを形成しておくことで、握持保持した際、親指が、スプール側の下方に滑り落ちるようが確実に防止され、実釣時に雨や魚のヌメリ等が指置き部に付着するような悪条件下においても、滑りが回避されて良好な保持性を維持することができる。
【００２５】
また、上記した構成において、図１及び図５（ａ）に示すように、前記指置き部１０ｂに、左右方向に沿って延びる切欠段部１０ｆを形成しておくことが好ましい。本実施形態の切欠段部１０ｆは、前記カバー体１５と、隆起部１０ａ及び凹状部１０ｂとの間に形成されており、貫通する孔として構成されている。
【００２６】
このような切欠段部１０ｆを形成することにより、握持保持した際の親指がその切欠段部１０ｆに引っ掛かることから、握持保持した際に、スプール側下方への滑りが確実に防止されるようになり、雨や魚のヌメリ等の付着による影響を受けることがなくなる。
【００２７】
なお、このような切欠段部については、例えば、図５（ｂ）に示すように、溝状に構成しても良いし、或いは、左右方向に沿って所定間隔毎に形成される孔部や凹部等によって構成しても良い。
【００２８】
また、このような切欠段部については、上記した隆起部や凹状部を形成していない指置き部に形成したものであっても良い。すなわち、このような指置き部に切欠段部を形成しておくことで、リール本体を握持保持したときや、特にキャスティング操作時に、親指の滑りを防止して、その保持性の向上が図れるようになる。
【００２９】
以上、本発明の実施形態について説明したが、本発明は、上述した実施形態に限定されることは無く種々変形することが可能である。例えば、リール本体１の形状、指置き部１０の幅や形状については適宜変形することが可能であり、指置き部１０については、フレームに対して着脱又は回動可能に支持されているような構成であっても良い。また、隆起部１０ａの形状やその高さ、及び隆起部１０ａから凹状部１０ｂに至る傾斜面の形状についても、適宜変形することが可能である。
【図面の簡単な説明】
【００３０】
【図１】本発明に係る魚釣用リールの一実施形態を示す平面図。
【図２】図１に示す魚釣用リールの背面図。
【図３】図１のＡ−Ａ線に沿った断面図。
【図４】図１のＢ−Ｂ線に沿った断面図。
【図５】（ａ）は、図１のＣ−Ｃ線に沿った断面図であり、（ｂ）は、別の実施形態を示す断面図。
【符号の説明】
【００３１】
１  リール本体
３ａ，３ｂ  側板
５  スプール
７  ハンドル
１０  指置き部
１０ａ  隆起部
１０ｂ  凹状部
１０ｅ  平面状部
１０ｆ  切欠段部
１５  カバー体
【図１】
0004514051.tif 000002
【図２】
0004514051.tif 000003
【図３】
0004514051.tif 000004
【図４】
0004514051.tif 000005
【図５】
0004514051.tif 000006